(57)【要約】【課題】サンプルホールド出力タイプのＣＣＤでもタイミング調整が可能で、読み取りタイミングを成立させることにより、ＡＦＥがサンプリングすべきタイミングに正確にサンプリング信号を設定できるようにする。【解決手段】ＣＣＤ１３２からの出力信号をＡＦＥ１３３が取込み、Ａ／Ｄ変換する際のサンプリング信号をタイミング調整する場合、１回目は、サンプリング信号の位相をデフォルト状態とし、そのサンプリングタイミングで画像読取りデータを取得して今回値として保存する。前回値がある場合は、今回値との差分がしきい値以上であれば今回の設定値にてリセットノイズにサンプリング信号が達したと判定し、サンプリング信号の位相をＡＦＥ１３３でＣＣＤ出力のホールド部をサンプルできる位置に設定する。検出時は遅くなる方向に位相をずらしたので、サンプリング位置検出後は位相を早める方向に調整する。【選択図】図２
2010245674.tif 000002
【特許請求の範囲】
【請求項１】
サンプルホールド出力機能を内蔵した読取手段と、
前記読取手段の出力信号をサンプリング信号で取り込んでデジタル信号に変換する信号処理手段と、
前記信号処理手段のサンプリング信号のタイミングを任意に調整することができるタイミング発生手段と、
を備え、前記タイミング発生手段は、タイミング調整時に前記信号処理手段に入力されるサンプリング信号を１ステップずつ遅らせ、前記読取手段の最終画素、もしくは転送効率測定用画素の出力変化が任意の値に達したところをサンプリングノイズ位置として検出し、前記信号処理手段に入力するサンプリング信号を任意の時間だけ早めるようにタイミング調整を行うことを特徴とする画像読取装置。
【請求項２】
前記タイミング発生手段によるタイミング調整時に前記信号処理手段に入力するサンプリング信号を早める時間は、前記読取手段の駆動クロックの１周期の時間から、前記読取手段内部のサンプリング時間と前記読取手段からの出力信号の安定移行期間との和を減算した時間よりも小さい時間であることを特徴とする請求項１に記載の画像読取装置。
【請求項３】
前記読取手段によって光電変換した画像信号を複数のチャンネルで出力する場合は、チャンネル毎にタイミング調整を行うことを特徴とする請求項１または２に記載の画像読取装置。
【請求項４】
前記タイミング発生手段は、初回の電源ＯＮ時にはタイミング調整を行い、２回目以降の電源ＯＮ時にはタイミング調整を行わずに前記読取手段のサンプルホールド出力機能をＯＮにして、読取レベル自動調整により前記信号処理手段のゲイン調整を行い、そのゲイン調整結果が前回値とある一定以上変化した場合のみ、タイミング調整を行うことを特徴とする請求項１〜３のいずれか一つに記載の画像読取装置。
【請求項５】
前記タイミング発生手段は、前記画像読取装置が一定時間使用されない場合に低消費電力となる省エネルギーモードから復帰した場合、タイミング調整を行わずに前回のタイミング調整の結果からサンプリング信号を設定することを特徴とする請求項１〜４のいずれか一つに記載の画像読取装置。  
【請求項６】
請求項１〜５のいずれか一つに記載の画像読取装置を用いて前記信号処理手段のサンプリング信号のタイミング調整を行うことを特徴とする画像形成装置。
【発明の詳細な説明】
【技術分野】
【０００１】
本発明は、画像読取装置および画像形成装置に関し、原稿を露光してその反射光を光電変換素子で受光することにより原稿を読み取る画像読取装置および画像形成装置に関する。
【背景技術】
【０００２】
従来、原稿画像を光電変換素子で読み取って、画像データをデジタル信号に変換して処理する画像読取装置が知られている。この種の画像読取装置は、一般的に、原稿を載置するコンタクトガラス、原稿露光用の光源および第１反射ミラーとからなる第１キャリッジ、第２反射ミラーおよび第３反射ミラーからなる第２キャリッジ、光電変換素子としてのＣＣＤリニアイメージセンサ（以下、ＣＣＤという）、このＣＣＤに結像するためのレンズユニット、読み取り光学系等による各種の歪みを補正（シェーディング補正など）するための基準白板などから構成されている。
【０００３】
そして、原稿の走査時は、上記第１キャリッジおよび第２キャリッジはステッピングモータによって副走査方向に移動する。画像読取装置では、画像を読み取ったＣＣＤからのアナログ画像信号をＡ／Ｄ変換回路に入力してデジタル信号を得ている。その際、Ａ／Ｄコンバータの精度を十分に発揮させるためには、アナログ画像信号がＡ／Ｄコンバータの上限基準値と下限基準値の間を広く使って変化するようにゲインアンプでのゲイン量とオフセット設定部でのオフセット量を調整する必要がある。
【０００４】
このような従来の画像読取装置は、ピーク検出されたＡ／Ｄコンバータの出力をＣＰＵに取りこんで、目標値と比較して最適なゲイン設定値を算出し、このゲイン設定値によりゲインアンプのゲイン設定を変更する構成となっている。このピーク検出では、前述した基準白板を使用して、読取りレベルの自動調整を行っている。
【０００５】
以上の動作は、通常、ＣＣＤ、ＣＣＤを駆動するためのタイミング発生源であるＡＳＩＣ、Ａ／Ｄ変換回路、およびゲイン調整機能等を１チップ化したアナログ・フロント・エンド（ＡＦＥ）などにより行われている。
【０００６】
図１０は、従来のＣＣＤの出力タイミングを示すタイミングチャートであり、図１１は、サンプルホールド機能を搭載したＣＣＤの出力タイミングを示すタイミングチャートである。図１１に示すように、上記したＣＣＤのアナログ画像信号は、図１０のようなタイミングで出力される。つまり、図１０の（Ａ）は周期、（Ｂ）は転送クロック（ＰＨ２Ｂ）、（Ｃ）はクランプ信号（ＣＰ）、（Ｄ）はリセット信号（ＲＳ）、（Ｅ）はＣＣＤ出力信号、（Ｆ）はサンプリング信号（ＸＳＨＤ）である。ＣＣＤ出力信号は、（Ｂ）の転送クロック（ＰＨ２Ｂ）の立ち下がりのタイミングで出力を開始し、リセット信号の立ち上がりのタイミングで出力が終了する。クランプ信号（ＣＰ）は、ＣＣＤ出力の基準電圧を一定にするためのものである。
【０００７】
このため、ＣＣＤ出力は、図１０に示すように、転送クロックの立ち下がりから、ＣＣＤ出力遅延期間中立ち下がって、出力安定期間となる。このように、ＣＣＤ出力期間は、転送クロックの立ち下がりからリセット信号が立ち上がるまでの時間から、出力遅延時間分だけ削られることになる。また、実際にはＣＣＤ出力の立ち下り始めは、転送クロックの立ち下がりの１０％からであるため、転送クロックの立ち下りに時間がかかる。これらのＣＣＤ駆動信号は、通常、タイミング発生源からドライバを介してＣＣＤに入力される。このタイミング発生源やドライバでは、信号間のスキューが発生するため、転送クロックの立ち下がりから、リセット信号の立ち上がりまでの時間は遅延差分だけ縮まってしまうことがある。このように、さまざまな要因でＣＣＤ安定出力期間が短くなることがある。
【０００８】
例えば、出力遅延時間が１０ｎｓ、転送クロックの立ち下がり時間が３ｎｓ、タイミング発生源とドライバの遅延差で２ｎｓ程度と考えると、１周期３０ＭＨｚ程度になると、数ｎｓしか出力安定期間が無いことになる。この出力安定期間を、後段のＡＦＥでサンプリングするための信号が、図１０に示すサンプリング信号（ＸＳＨＤ）である。このＡＦＥでは、サンプリング信号の立ち上がりのタイミングでアナログ画像信号レベルをホールドするが、前述した転送クロックやリセット信号と同様に、転送クロックやリセット信号に対してスキューを発生するため、先ほどのような数ｎｓのＣＣＤ出力安定期間では、出力安定期間以外のレベルをホールドしてしまい、正しい画像信号レベルを得ることができない。（ここでは、ＡＦＥのサンプリング信号を負論理のサンプリング信号としているが、正論理の信号でサンプリング信号の立ち下がりのタイミングでアナログ画像信号レベルをホールドする場合でも内容に変わりは無い。）
【０００９】
このように、タイミングが不成立となるのを防止するため、特許文献１に示すようなタイミング調整方法が提案されている。特許文献１のＣＣＤ駆動装置は、リセットパルスおよびサンプルホールドパルスのタイミング位置の組み合わせ毎に、ＣＣＤ出力の多値データから特性解析を行うことによって、最適なリセットパルスおよびサンプルホールドパルスのタイミングを求める技術が開示されている。
【発明の概要】
【発明が解決しようとする課題】
【００１０】
しかしながら、上記特許文献１にあっては、ＣＣＤの出力遅延時間や信号間のスキューなどがばらつく要因は、駆動周波数がより高速な画像読取装置に対応して高速になっていくのに対して、短くする手段が無いか、もしくは限界があるという問題がある。例えば、出力安定期間を増やすためにリセット信号を遅らせたとする。しかし一方で、普通のリセット信号はクランプ信号とのタイミング規定が存在するため、クランプ信号とのタイミングはより厳しい方向となる。
【００１１】
このように、周波数が早くなってくると出力安定期間が極端に短くなるため、以下のようなケースではタイミング調整さえも難しくなる。例えば、出力安定期間が２．２ｎｓだった場合、タイミング発生源の設定でタイミング調整を行うには、２．０ｎｓ以下の調整精度が必要となる。１周期３０ＭＨｚにおいてタイミング発生源のＡＳＩＣのフェイズ・ロックド・ループ（ＰＬＬ）で３０ＭＨｚの源振を８逓倍した半周期精度で位相をずらすと、調整精度は２．１ｎｓ程度になるため、最悪の場合を考えると調整ができなくなる可能性がある。
【００１２】
そこで、このリスクを低減するためには、出力安定期間を広くする方法以外にない。この出力安定期間を広くする方法としては、図１１に示すようなサンプルホールド機能を搭載したＣＣＤが提案されている。図１１に示すタイミングチャートは、その一例である。例えば図１１の（Ｂ）の転送クロック（ＰＨ２Ｂ）の立ち下がりからリセット信号の立ち上がりまでの期間に、内部サンプリング信号がアサートされる。リセット信号の立ち上がりが入力されると、内部でホールドされたＣＣＤ出力レベルが外部に出力信号として出力される。図１１の方法では、リセット時間を早めることができるので、ＣＣＤ出力のホールド部の安定移行期間が従来の出力遅延時間相当だったとしても、従来に比べて大幅に後段でのＡＦＥにおけるサンプリング信号でサンプリングできる領域が広がっていることがわかる。なお、図１１の場合も転送クロックの立ち下がりでホールド期間が終了し、サンプリング期間に移行するが、この時ＣＣＤ出力にサンプリングノイズが入り、その後ホールド期間に対しオフセットを持った電圧がサンプリング期間中にＣＣＤ出力端子に現われる。
【００１３】
このように、図１１に示すサンプルホールド機能を搭載したＣＣＤでは出力安定期間を長くとることができるが、周波数が早くなると、やはりタイミング調整無しではタイミングがとれない可能性が発生する。つまり、ＣＣＤ駆動クロックの１周期の時間から、ＣＣＤ内のサンプリング時間と、ＣＣＤ出力がホールドに移行する安定移行期間とを減算した時間が、周波数が早くなると次第に短くなってゆき、ＡＦＥでサンプリングする信号とＣＣＤ出力のばらつきがその時間に収まらなくなった時点で、タイミング設計ができなくなるという問題がある。
【００１４】
しかし、仮にタイミング調整ができるならば、図１０のＣＣＤ出力波形で前述した従来技術のように、リセットノイズを検出してタイミング調整する方法よりも、さらに速い周波数でであっても、タイミングを調整することが可能となる。しかし、図１１に示すように、サンプルホールド出力のＣＣＤ出力波形は、リセットノイズが無いため、図１０のＣＣＤ出力波形のようにリセットノイズを検出してタイミング調整することができない。従って、図１１のサンプルホールド出力のＣＣＤ出力波形であっても、ＣＣＤ出力がある程度の白レベルを出力している状態で、特定の画素出力を用いることにより、サンプルホールド機能を内蔵したＣＣＤを用いてタイミング調整を行うことが可能となる方法を以下で提案する。
【００１５】
本発明は、上記に鑑みてなされたものであって、サンプルホールド出力タイプのＣＣＤであってもタイミング調整が可能であり、読み取りタイミングを成立させることによって、ＡＦＥがサンプリングすべきタイミングに正確にサンプリング信号を設定できると共に、複数チャンネル出力のＣＣＤであってもタイミング調整が可能であり、タイミング調整にかかる時間を短縮することができる画像読取装置および画像形成装置を提供することを目的とする。
【課題を解決するための手段】
【００１６】
上述した課題を解決し、目的を達成するために、本発明は、サンプルホールド出力機能を内蔵した読取手段と、前記読取手段の出力信号をサンプリング信号で取り込んでデジタル信号に変換する信号処理手段と、前記信号処理手段のサンプリング信号のタイミングを任意に調整することができるタイミング発生手段と、を備え、前記タイミング発生手段は、タイミング調整時に前記信号処理手段に入力されるサンプリング信号を１ステップずつ遅らせ、前記読取手段の最終画素、もしくは転送効率測定用画素の出力変化が任意の値に達したところをサンプリングノイズ位置として検出し、前記信号処理手段に入力するサンプリング信号を任意の時間だけ早めるようにタイミング調整を行うことを特徴とする。
【００１７】
また、本発明は、この画像読取装置を用いた画像形成装置であって、信号処理手段のサンプリング信号のタイミング調整を行うことを特徴とする。
【発明の効果】
【００１８】
本発明によれば、サンプルホールド出力タイプのＣＣＤであってもタイミング調整が可能であって、読み取りタイミングを成立させることができるため、ＡＦＥがサンプリングすべきタイミングに正確にサンプリング信号を設定することができるという効果を奏する。
【図面の簡単な説明】
【００１９】
【図１】図１は、本発明の第１の実施の形態にかかる画像読取装置の概略構成を示す縦断面図である。
【図２】図２は、図１の読取基板と画像処理部の構成ブロック図である。
【図３】図３は、第１の実施の形態にかかる画像読取装置の読取信号のサンプリングタイミング調整動作を説明するフローチャートである。
【図４】図４は、図３のタイミング調整処理のサブルーチンを示すフローチャートである。
【図５】図５は、転送効率測定用画素無しＣＣＤの画素状態を示す図である。
【図６】図６は、図５のＣＣＤにおける最終有効画素出力の波形図である。
【図７】図７は、転送効率測定用画素有りＣＣＤの画素状態を示す図である。
【図８】図８は、図７のＣＣＤにおける転送効率測定用画素出力の波形図である。
【図９】図９は、第２の実施の形態にかかる画像読取装置の読取信号のサンプリングタイミング調整動作を説明するフローチャートである。
【図１０】図１０は、従来のＣＣＤの出力タイミングを示すタイミングチャートである。
【図１１】図１１は、サンプルホールド機能を搭載したＣＣＤの出力タイミングを示すタイミングチャートである。
【発明を実施するための形態】
【００２０】
以下に添付図面を参照して、この発明にかかる画像読取装置および画像形成装置の最良な実施の形態を詳細に説明する。以下の実施の形態では、画像読取装置としてフラットベット型のイメージスキャナを用いた例で説明するが、必ずしもこれに限定されず、種々の画像読取装置に適用することができる。
【００２１】
（第１の実施の形態）
図１は、本発明の第１の実施の形態にかかる画像読取装置の概略構成を示す縦断面図である。図１に示すように、この画像読取装置（イメージスキャナ）１は、原稿２を載置するコンタクトガラス３と、原稿２の露光用のハロゲンランプ４および第１反射ミラー５とからなる第１キャリッジ６と、第２反射ミラー７及び第３反射ミラー８からなる第２キャリッジ９と、イメージセンサであるＣＣＤ（Charge Coupled Devices）１０と、ＣＣＤ１０に結像するためのレンズユニット１１と、シェーディング補正用の白基準板１２とを備えている。ＣＣＤ１０は読取基板１３上に設けられ、この読取基板１３は、ＣＣＤ１０が出力する画像信号に対して各種の信号処理を施す画像処理部１４（図２参照）が、接続ケーブル１５を介して接続されている。すなわち、ハロゲンランプ４、第１、第２、第３反射ミラー５，７，８およびレンズユニット１１は、走査光学系を構成している。なお、走査光学系としては、相対的に移動するものとしたが、ミラー等を固定とし、原稿側を移動させるタイプであってもよい。 
【００２２】
ハロゲンランプ４は、白基準板１２やコンタクトガラス３の読取面に対してある角度で光を照射し、白基準板１２または原稿２で反射した光は、第１、第２、第３反射ミラー５，７，８およびレンズユニット１１を経由してＣＣＤ１０に入射する。ＣＣＤ１０は、入射光量に対応した電圧をアナログ画像信号として出力する。第１、第２キャリッジ６，９は、図示しないステッピングモータの駆動により、原稿２の読取面とＣＣＤ１０との間の距離を一定に保ちながら副走査方向（矢印Ａ方向）に移動し、原稿２を露光走査する。ＣＣＤ１０は、入射光量に対応した電圧をアナログ画像信号として出力し、読取基板１３で所定の処理を行った後、デジタル画像信号として画像処理部１４に転送される。
【００２３】
図２は、図１の読取基板と画像処理部の構成ブロック図である。図２に示すように、読取基板１３上には、タイミング発生ＡＳＩＣ１３１、ＣＣＤ１３２、ＡＦＥ１３３が設けられている。タイミング発生ＡＳＩＣ１３１は、ＣＣＤ１３２からアナログ画像信号を取り出すためのＣＣＤ駆動信号と、ＡＦＥ１３３で画像信号をＡ／Ｄ変換するためのサンプリング信号を生成する。ＣＣＤ１３２から取り出されたアナログ画像信号は、ＡＦＥ１３３においてＡ／Ｄ変換され、デジタル画像信号として、画像処理部１４へ送信される。
【００２４】
画像処理部１４には、画像処理ＡＳＩＣ１４１とＣＰＵ１４２が設けられている。このＣＰＵ１４２は必ずしも画像処理部１４にある必要は無い。前記読取基板１３から送信されたデジタル画像信号は、画像処理ＡＳＩＣ１４１にて読取値を算出する。この算出された読取値は、画像処理ＡＳＩＣ１４１内の不図示のレジスタに保存される。ＣＰＵ１４２は、前記レジスタのデータを読み出すことによって、読取値を取得することが可能となる。また、ＣＰＵ１４２は、読取基板１３のタイミング発生ＡＳＩＣ１３１と通信を行い、ＣＣＤ駆動信号のタイミングや、ＡＦＥサンプリング信号のタイミングを設定することができる。
【００２５】
第１の実施の形態にかかる画像読取装置は、以上のように構成されており、以下その動作を説明する。図３は、第１の実施の形態にかかる画像読取装置の読取信号のサンプリングタイミング調整動作を説明するフローチャートであり、図４は、図３のタイミング調整処理のサブルーチンを示すフローチャートであり、図５は、転送効率測定用画素無しＣＣＤの画素状態を示す図であり、図６は、図５のＣＣＤにおける最終有効画素出力の波形図であり、図７は、転送効率測定用画素有りＣＣＤの画素状態を示す図であり、図８は、図７のＣＣＤにおける転送効率測定用画素出力の波形図である。
【００２６】
図２および図３に示すように、画像読取装置では、ラインセンサ（ＣＣＤ）１３２からのＣＣＤ出力信号を、ＡＦＥ１３３がサンプリング信号で取り込んでＡ／Ｄ変換する際に、そのサンプリング信号のタイミング調整を行う場合は、まず、画像読取装置１０の電源ＯＮ後に（ステップＳ１００）、画像読取装置１０の異常検知処理を行う（ステップＳ１０１）。この異常検知処理では、各種ＩＣのチェック、あるいはリセット解除確認が行われる。
【００２７】
そして、タイミング調整に必要な調整用初期設定が行われる（ステップＳ１０２）。これは、ＡＦＥ１３３のサンプリング信号をタイミング調整により移動させるため、通常動作用の各種設定に加えて、ＡＦＥ１３３でサンプリング信号期間を用いて入力段クランプなどの動作を行わないような設定にしておく必要がある。
【００２８】
また、ステップＳ１０３においては、本発明の特徴的なサンプリング信号のタイミング調整を行った後、通常動作用の各種設定が行われ（ステップＳ１０４）、読取レベルの自動調整を行うことにより、電源ＯＮ時における各種調整が終了し（ステップＳ１０５）、スキャン待機状態となる。
【００２９】
次に、上記図３のステップＳ１０３におけるタイミング調整動作の詳細について、図４を用いて説明する。まず、上記した従来型のＣＣＤの場合（図１０参照）は、リセットノイズを検出することによってタイミング調整を行うことができたが、本第１の実施の形態では、サンプルホールド機能を搭載したＣＣＤを用いているため、図１１に示すようなＣＣＤ出力波形となる。このため、リセットノイズが無く、サンプリング期間に移行するサンプリングノイズもレベルとしては小さいことから、通常の画素では精度よくタイミング調整を行うことが難しい。
【００３０】
そこで、本第１の実施の形態では、図５および図６に示すように、転送効率測定用画素の無いＣＣＤを用いた場合は、ＣＣＤ出力をある程度の白レベルを出力した状態として、ＣＣＤの最終有効画素と、その次の空転送の画素とのレベル差を検出するようにする。また、図７および図８に示すような転送効率測定用画素の有るＣＣＤを用いて実施することも可能である。
【００３１】
まず、図４に示すタイミング調整動作において、ＡＦＥ１３３のサンプリング信号（ＸＳＨＤ）の位相は、デフォルト状態でＣＣＤ出力信号のホールド移行期間およびサンプル期間にかからない位置になるよう設定しておくが、サンプリング時のホールドレベルに対するオフセットが、予測される白レベルよりも十分小さいものであればデフォルトの位相は前述の期間にかかっていても問題はない。ここでは、タイミング調整動作開始の第１回目は、サンプリング信号（ＸＳＨＤ）の位相はデフォルト状態のままとし、後のステップＳ２０３に示すフローを通ってきた場合には、サンプリング信号（ＸＳＨＤ）のタイミングを１ステップ遅らせるようにする（ステップＳ２００）。
【００３２】
続くステップＳ２０１では、前段のステップＳ２００にて設定したＸＳＨＤのサンプリングタイミングにて画像読取りデータを取得して、今回値として保存する。保存する読み取りデータは、複数画素、複数ラインの値を平均化することによって、ノイズやジター（錯視）の影響を減少することができる。また、前回値がある場合は、前回値とは別に今回値を保存するようにする。
【００３３】
続くステップＳ２０２では、前段のステップＳ２０１において前回値がある場合に、前回値と今回値の差分を算出する。この差分は、前回値がホールド期間で、今回値がサンプリング部であれば、差分は大きくなる（出力が低くなる）。そして、この差分があるしきい値以上かどうかを判断し、しきい値以上であれば今回の設定値にてリセットノイズにサンプリング信号（ＸＳＨＤ）が達したと判定する。そして、リセットノイズが検出できた場合は、ステップＳ２０３に移行する。
【００３４】
また、ステップＳ２０２において、リセットノイズが検出されないか、あるいは、タイミング調整動作開始１回目で前回値が無い場合は、ステップＳ２００のフローに移行して、しきい値以上の値を検出するまで上記ステップＳ２００〜ステップＳ２０２までの処理が繰り返される。
【００３５】
ステップＳ２０３においては、ＸＳＨＤの位相をＡＦＥ１３３でＣＣＤ出力のホールド部をサンプルできる位置に設定する。このＸＳＨＤは、検出時は遅くなる方向に位相をずらしてきたので、サンプリング位置検出後は位相を早める方向に調整するようにする。ただし、この位相を早めるステップでは、ＣＣＤのホールド期間をサンプリングできるように、ＣＣＤ駆動クロックの１周期からＣＣＤ内部のサンプリング時間とホールド移行期間の和を減算した時間よりも小さい値に設定するようにする。
【００３６】
なお、上記第１の実施の形態では、ＣＣＤ１３２によって光電変換された画像信号を１つのチャンネルで出力する場合について説明したが、複数のチャンネルで出力する場合についても同様であって、上記タイミング調整をチャンネル毎に行うようにする。
【００３７】
このように、第１の実施の形態によれば、サンプルホールド出力タイプのＣＣＤを用いて実施した場合であっても、サンプリングタイミングの調整が可能となり、適切な読み取りタイミングとすることができる。
【００３８】
また、第１の実施の形態によれば、ＡＦＥがサンプリングすべきタイミングに正確にサンプリング信号を設定することができる。
【００３９】
さらに、第１の実施の形態によれば、複数チャンネル出力のＣＣＤであってもサンプリングタイミングの調整が可能となる。
【００４０】
（第２の実施の形態）
第２の実施の形態の特徴は、サンプリングタイミングの調整にかかる時間を短縮するようにした点にある。
【００４１】
図９は、第２の実施の形態にかかる画像読取装置の読取信号のサンプリングタイミング調整動作を説明するフローチャートである。図２および図９に示すように、画像読取装置では、ラインセンサ（ＣＣＤ）１３２からのＣＣＤ出力信号を、ＡＦＥ１３３がサンプリング信号で取り込んでＡ／Ｄ変換する際に、そのサンプリング信号のタイミング調整を行う場合は、まず、画像読取装置１０の電源ＯＮ後に（ステップＳ３００）、画像読取装置１０の異常検知処理を行う（ステップＳ３０１）。この異常検知処理では、上記第１の実施の形態と同様に、各種ＩＣのチェック、あるいはリセット解除確認が行われる。
【００４２】
そして、第２の実施の形態では、図９に示すように、前回の電源ＯＮ時にタイミング調整を行ったかどうかを前回値の有無により判定する（ステップＳ３０２）。ここで、前回タイミング調整を行っていて、前回値が有る場合は（ステップＳ３０２でＹＥＳ）、ステップＳ３０４におけるタイミング調整を飛ばし、ステップＳ３０５の処理に移行する。
【００４３】
また、ステップＳ３０２において、前回タイミング調整を行っていなくて、前回値が無い場合は（ステップＳ３０２でＮＯ）、タイミング調整に必要な調整用初期設定が行われる（ステップＳ３０３）。これは、ＡＦＥ１３３のサンプリング信号をタイミング調整により移動させるため、通常動作用の各種設定に加えて、ＡＦＥ１３３でサンプリング信号期間を用いて入力段クランプなどの動作を行わないような設定にしておく必要がある。
【００４４】
続いて、ステップＳ３０４においては、本発明の特徴的なサンプリングタイミングの調整が行われる。このタイミング調整動作については、上記第１の実施の形態において図４を用いて説明したため、ここでは省略する。そして、タイミング調整を行った後、通常動作用の各種設定が行われ（ステップＳ３０５）、読取レベルの自動調整を行うことにより電源ＯＮ時における各種調整が終了する（ステップＳ３０６）。
【００４５】
第２の実施の形態では、この後の動作として、読取レベルの自動調整値を今回値として保存する（ステップＳ３０７）。ここで、読取レベルの自動調整値の前回値が無い場合は（ステップＳ３０８でＹＥＳ）、電源ＯＮ時の各種調整が終了して、スキャン待機状態に移行する。
【００４６】
また、ステップＳ３０８において、前回値がある場合は、今回値と比較して、今回値が前回値よりある一定以上変化していた場合には（ステップＳ３０８でＮＯ）、ステップＳ３０３に戻り、ステップＳ３０４においてタイミング調整が行われる。ただし、ステップＳ３０３に戻る段階で、自動調整値の今回値および前回値のクリアも行うようにする。
【００４７】
なお、画像読取装置が一定時間使用されない場合、消費電力を低減させる省エネルギーモードに移行する装置においては、省エネルギーモードからの復帰時の対応を、初回の電源ＯＮ時ではなく、２回目以降の電源ＯＮ時と同様にタイミング調整を行わずに、前回のタイミング調整の結果からサンプリング信号を設定するようにする。
【００４８】
このように、第２の実施の形態によれば、タイミング調整の前回値の有無によって、タイミング調整を行うか否かを判断し、前回値が有る場合はタイミング調整を省略することができるため、タイミング調整にかかる時間を短縮することができる。また、省エネルギーモードからの復帰時の場合も、同様にタイミング調整を省略するため、タイミング調整にかかる時間を短縮することができる。
【００４９】
また、第２の実施の形態によれば、前回値があったとしても、今回値が前回値よりも一定以上変化している場合については、タイミング調整を行うようにしたので、状況に対応して読み取りタイミングを成立させることができる。
【００５０】
なお、上記第１および第２の実施の形態では、本発明の画像読取装置を用いた複写機やファクシミリ装置などの画像形成装置に適用することができるが、さらに、コピー機能、プリンタ機能、スキャナ機能およびファクシミリ機能のうち少なくとも２つの機能を有する複合機にも適用することができる。
【符号の説明】
【００５１】
１  画像読取装置
４  ハロゲンランプ
１０  ＣＣＤ
１３  読取基板
１３１  タイミング発生ＡＳＩＣ
１３２  ＣＣＤ
１３３  ＡＦＥ
１４  画像処理部
１４１  画像処理ＡＳＩＣ
１４２  ＣＰＵ
【先行技術文献】
【特許文献】
【００５２】
【特許文献１】特開平７−２５０２８８号公報
【図１】
2010245674.tif 000003
【図２】
2010245674.tif 000004
【図３】
2010245674.tif 000005
【図４】
2010245674.tif 000006
【図５】
2010245674.tif 000007
【図６】
2010245674.tif 000008
【図７】
2010245674.tif 000009
【図８】
2010245674.tif 000010
【図９】
2010245674.tif 000011
【図１０】
2010245674.tif 000012
【図１１】
2010245674.tif 000013